(57)【要約】  【課題】  本発明は、希望する任意の位置に取り付け可能であり、それらの照明装置の配線工事も容易に行え、リラックス（癒し）効果をもたらす照明装置を提供することを目的とする。  【解決手段】  本発明は、光を透過させる表面材と、この表面材の裏面に設けられ少なくとも一個以上のＬＥＤ（発光ダイオード）照明を配した照明器具１と、照度を調整できる調光装置付きの照明器具２とを備えた浴室である。  【選択図】  図１
2007194117.tif 000002
【特許請求の範囲】
【請求項１】
光を透過させる表面材と、この表面材の裏面に設けられ少なくとも一個以上のＬＥＤ（発光ダイオード）照明を配した照明器具１と、照度を調整できる調光装置付きの照明器具２とを備えた浴室。
【請求項２】
請求項１記載において、照明器具１のＬＥＤ（発光ダイオード）照明にＬＥＤを点滅させる制御装置が組み込まれた浴室。
【発明の詳細な説明】
【技術分野】
【０００１】
本発明は、２種類の照明装置を備えた浴室に関する。
【背景技術】
【０００２】
従来、浴室は、壁面または天井面に室内を明るくすることを主目的として、照明装置が取り付けられていた。また、近年では、室内照度を目的とするのではなく、装飾又は演出としての照明装置が、特許文献１にて提案されている。
特許文献１に記載されるものは、浴槽、シャワーパネル、バス水栓等の浴室内器具に組み込まれたＬＥＤ（発光ダイオード）を点灯させ、装飾または演出照明を行っている。
【特許文献１】特開２００４−７１５０１号公報
【発明の開示】
【発明が解決しようとする課題】
【０００３】
しかしながら、これらの照明は前記のように浴室内器具に組み込まれていることから、取り付け位置が限定されてしまい、また、器具自体が高価となる。更に、室内の各所に配置されるＬＥＤ（発光ダイオード）の点灯を制御ボックスにて行うため、各々のＬＥＤ（発光ダイオード）を制御ボックスへ接続しなければならず、配線工事も容易ではない。
【０００４】
本発明は、これらの課題を解決するためになされたもので、希望する任意の位置に取り付け可能であり、それらの照明装置の配線工事も容易に行え、リラックス（癒し）効果をもたらす照明装置を提供することを目的とする。
【課題を解決するための手段】
【０００５】
（１）光を透過させる表面材と、この表面材の裏面に設けられ少なくとも一個以上のＬＥＤ（発光ダイオード）照明を配した照明器具１と、照度を調整できる調光装置付きの照明器具２とを備えた浴室。
（２）項（１）において、照明器具１のＬＥＤ（発光ダイオード）照明にＬＥＤを点滅させる制御装置が組み込まれた浴室。
【発明の効果】
【０００６】
本発明によれば、表面材の裏面にＬＥＤ照明を配したことにより、表面材によりＬＥＤの灯りが和らぎ、照度を調整できる調光装置付きの照明装置の照度を落すことにより、前記ＬＥＤの灯りの和らぎを増すことができる。
【０００７】
また、照明器具１のＬＥＤ照明に、ＬＥＤを点滅させる制御装置が組み込まれている場合は、ホタルのように点滅を繰り返すことができ、和らいだ灯りにプラスされてリラックス（癒し）効果が得られる。
【０００８】
照明器具１は壁面または天井面に取り付けが可能であり、また前記したようにＬＥＤ照明に制御装置が組み込まれていることにより他からの制御なしで点滅を繰り返すため、ＬＥＤ照明を直列に接続することができ、配線が１本で済み、制御ボックスへの配線も容易であるので、使用者の好みに合わせ取り付け位置を決定できる。
【発明を実施するための最良の形態】
【０００９】
本発明に用いる照明器具１は、光を透過させる表面材と、ＬＥＤ照明とを備えている。表面材は、ＬＥＤから発せられる光を透過するものであれば特に制限されるものではなく、合成樹脂成形板、強化ガラス等を用いることができるが、浴室内で使用することから、合成樹脂製のものが好ましい。
また、表面材は、透明なものでも、半透明なものでも使用することができ、光をぼやけさせることにより、より一層の和らぎ感与えるべく、半透明なものを使用することが好ましい。
表面材は、浴室天井、又は、壁面に設置固定されるが、この固定は既存の固定方法により行うことができ、より具体的には、ビス止め、接着剤による接着、嵌め込み等により行える。表面材の固定は、特に、ビス止め、嵌め込みにて行うことが好ましく、このようにすると、表面材の交換作業をより容易に行うことができる。また、固定の際には、防水テープを用いることが好ましく、表面材の固定後に、その外周をシリコンコーキングすることが、防水性能を上げることができより好ましい。
表面材は、単板を用いることもできるが、透光性を有するカバーと、このカバーに裏打ちされるように固定された非透光性の下枠とから構成されるようにした基材部とを組み合わせることもできる。このように基材部と組み合わせて表面材を構成させる場合は、ＬＥＤからの光を妨げないように、基材部の下枠に孔を設け、その孔にＬＥＤ照明を固定することができる。
このようにした場合、基材部の下枠部分にＬＥＤを固定出来るので、施工が行いやすく、且つ、ＬＥＤが基材部に覆われるので、より一層漏電や漏水も防ぐことができる。
【００１０】
本発明に用いるＬＥＤは、特に制限されるものでなく、その色、輝度等、適宜選択して用いることができる。また、その個数は、１つ以上であれば良いが、複数あることが好ましい。複数のＬＥＤを用いる際には、ＬＥＤ同士の離間距離を適宜決定することができるが、１００〜２００ｍｍ程度にすることが好ましく、１３０〜１７０ｍｍにすることが、より好ましい。
ＬＥＤ照明は、光を点滅させる制御装置を具備することが好ましく、この点滅によりホタルの明暗光を想起させ、より一層の癒し空間を演出することができる。また、点滅周期は、可変させられることが好ましく、東西日本に分布する平家ホタル又は源氏ホタルの点滅周期に合わせ、２秒又は４秒に一回の点滅周期とし、施工現地の使用者が想起するホタルの点滅周期に合わせることができる。
【００１１】
照明器具１の大きさは特に問わないが、縦は３００ｍｍから５００ｍｍ程度、横は３００ｍｍから５００ｍｍ程度、厚みは３０ｍｍ程度が好ましい。
【００１２】
本発明に用いる照明器具２は、室内照明として用いられるものであり、その照度を可変させることができるものであれば、光源として制限されるものではない。
照明器具２は、通常最大照度として使用されるが、ＬＥＤを用いた癒し空間を演出する場合には、照度を落とし（又は消灯させ）て、ＬＥＤ照明を浮かび上がらせるようにして使用する。
照度の可変は、抵抗値を可変させることで容易に切り替えることができるが、その切替は、無限切替であっても、有限切替（段階的に切り替える）であっても良い。また、この切替は、浴室内からリモコンにより行えることが好ましい。これは、入浴者が自分の好みにより、浴室から出ることなく、癒し空間を形成できるようにするためである。
【実施例】
【００１３】
以下、図面を用いて、本発明の実施例について説明する。
図１は、本発明の１実施例を示す浴室の斜視図である。照明器具１は、浴室１０の壁面７に固定され、浴槽内にて入浴している使用者と対向する部位に設置している。また、照明器具２は、天井に二箇所設けられており、浴室内をできるかぎり均一に明るくできるようにしている。
【００１４】
照明器具１及び照明器具２は、天井部１１の裏面に設置した制御ボックス３に接続されており、この制御ボックス３に電気的に接続されたリモコン４を用いて、照明器具１については点灯消灯の切り替え、点滅周期の可変又は点滅パターンの変更を行い、照明器具２については照度の調整をすることができる。
尚、照明器具１と制御ボックス３との間の配線５ａ、照明器具２と制御ボックス３との間の配線２ａ、及び、リモコン４と制御ボックス３との間の配線４ａは、全て浴室外（壁面７の裏面、又は、浴室１０と建築物躯体との間）にて行われる。
【００１５】
図２は図１に示す照明器具１の基材部１ａの一部透視正面図、図３は図２に示す照明器具１の基材部１ａの裏面図、図４は図２に示すＡ−Ａ断面図を示す。
照明器具１は、基材部１ａ及びＬＥＤ照明５を備えており、基材部１ａは、半透明の合成樹脂製カバー１ａ−２と、このカバー１ａ−２の裏面に接着させた下枠１ａ−１とを有している。ＬＥＤ照明５は、下枠１ａ−１に設けた孔に挿入されており、本実施例にて設置した９個のＬＥＤ照明５が直列に電気接続してある。
基材部１ａは、ビス６により壁面７に固定され、基材部１ａ外周部に設けた防水テープ８がビス６により圧縮され、基材部１ａ裏面への水の侵入を阻止するようにしてある。
また、直列に接続されたＬＥＤ照明５の配線５ａは、壁面７に取り付けられた基材部１ａの外郭より内側の壁面７を貫通させて通すことにより、貫通部からの水の漏水を防ぐことができる。
【００１６】
基材部１ａは、下枠１ａ−１にカバー１ａ−２が固定されることにより形成されるため、表面に凹凸がなく汚れづらく清掃しやすく、ＬＥＤ照明５、及び、配線５ａの貫通部が覆われることにより、漏電または漏水を防ぐことができる。
【００１７】
図５は本発明の別の実施例を示す照明器具１の表面材１ｂの正面図、図６は図５に示すＢ−Ｂ断面図、図７は、図５に示す照明器具１の分解図を示す。
本実施例では、表面材１ｂが、裏面に基材部１ａの外周に合うリブ１ｂ−１が立設されており、このリブ１ｂ−１の中央部に化粧ビス９が固定できる貫通部１ｂ−２を設けてある。基材部１ａの外周部立面には化粧ビス固定部１ａ−３があり、前記リブ１ｂ−１の貫通部１ｂ−２と合わせ化粧ビス９にて固定する構造となっている。従って、化粧ビス９を外すことにより容易に表面材１ｂを外し、清掃又は交換をすることができる。
【００１８】
図８は本発明の実施例である照明器具１の正面図、図９は図８のＣ−Ｃ断面図である。
【００１９】
照明器具１は、浴室１０組立後、天井部１１（図１参照）に制御ボックス３を取り付け、照明器具１の取り付け位置を決め、照明器具１を取り付けた時に照明器具１の基材部１ａの外郭部から出ない位置にＬＥＤ照明５の配線５ａの貫通部を設け、その貫通部よりＬＥＤ照明５の配線５ａを通し、制御ボックス３に接続し照明器具１の基材部１ａをビスにて固定する。その後基材部１ａの壁面７接地部にシリコンコーキングを塗布する。さらに照明器具１の表面材１ｂを基材部１ａに被せ、化粧ビス９にて表面材１ｂと基材部１ａとを固定する。
次に照明器具２を天井面に取り付け照明器具２の配線２ａを制御ボックス３に接続する。また、前記照明器具１の取り付けと同様にリモコン４の取り付け位置を決め、リモコン４を取り付けた時にリモコン４の外郭から出ない位置にリモコン４の配線４ａの貫通部を設け、その貫通部よりリモコン４の配線４ａを通し、リモコン４をユニットバス１０内の壁面７に取り付け、リモコン４の壁面７接地部にシリコンコーキングを塗布する。
以上により浴室内の好きな位置に照明装置を固定でき、配線も容易で、水漏れもしない取り付けができる。またリモコン４により照度調節可能な照明器具２とホタルのように点滅する照明器具１にてリラックス（癒し）効果をもたらすことができる。
【図面の簡単な説明】
【００２０】
【図１】本発明の１実施例である浴室の斜視図を示す。
【図２】図１に示す照明器具１の基材部の一部透視正面図である。
【図３】図２に示す照明器具１の基材部の裏面図である。
【図４】図２に示すＡ−Ａ断面図である。
【図５】本発明の実施例である照明器具１の表面材の正面図を示す。
【図６】図５に示す照明器具１の表面材のＢ−Ｂ断面図である。
【図７】図５に示す照明器具１の分解図である。
【図８】本発明の実施例である照明器具１の正面図を示す。
【図９】図８に示す照明器具１のＣ−Ｃ断面図である。
【符号の説明】
【００２１】
１…照明器具、１ａ…基材部、１ａ−１…下枠、１ａ−２…カバー、１ａ−３…化粧ビス固定部、１ｂ…表面材、１ｂ−１…リブ、１ｂ−２…貫通部、２…照明器具、２ａ…配線、３…制御ボックス、４…リモコン、４ａ…配線、５…ＬＥＤ照明、５ａ…配線、６…ビス、７…壁面、８…防水テープ、９…化粧ビス、１０…浴室、１１…天井部
【図１】
2007194117.tif 000003
【図２】
2007194117.tif 000004
【図３】
2007194117.tif 000005
【図４】
2007194117.tif 000006
【図５】
2007194117.tif 000007
【図６】
2007194117.tif 000008
【図７】
2007194117.tif 000009
【図８】
2007194117.tif 000010
【図９】
2007194117.tif 000011